(57)【要約】【課題】形態が異なる複数の駐車場から構成される複合駐車場における駐車状況情報の表示を各駐車場に応じて把握しやすく表示させ、駐車場のへの案内及び情報表示の利便性及び信頼性を高めること。【解決手段】形態が異なる複数の駐車場それぞれ固有の駐車場ＩＤ及び各駐車場の位置情報を含む駐車場静的情報を記憶する記憶部、駐車場ＩＤ及び満空情報を含む駐車場動的情報を受信するＤＳＲＣ部３又はＩＰ通信部、各駐車場の駐車状況マークを地図画面上に表示する表示部、受信された駐車場動的情報に対応する駐車場が複合駐車場を構成する駐車場であるかを駐車場静的情報を参照して判別し、複合駐車場を構成する駐車場として判別された駐車場の駐車状況マークを、各駐車場の満空情報に応じて大きさ及び／又は色を異ならせて、地図画面上の同一表示位置に表示させる制御部、を備える車載器。【選択図】図１１
2010002347.tif 000002
【特許請求の範囲】
【請求項１】
形態が異なる複数の駐車場それぞれ固有の駐車場ＩＤ情報及び当該各駐車場の位置を示す位置情報を含む第１の情報を記憶する記憶手段と、
前記駐車場ＩＤ情報及び当該各駐車場の駐車状況を示す駐車状況情報を含む第２の情報を受信する通信手段と、
各駐車場の駐車状況を示す駐車状況マークを地図画面上に表示する表示手段と、
前記受信された第２の情報に対応する駐車場が複合駐車場を構成する駐車場であるかを前記第１の情報を参照して判別し、当該判別の結果により前記複合駐車場を構成する駐車場として判別された駐車場の駐車状況マークを、各駐車場の駐車状況情報に応じて大きさ又は色を異ならせて前記地図画面上の同一表示位置に前記表示手段に表示させる制御手段と、
を備える車載器。
【請求項２】
前記制御手段は、
前記受信された複数の第２の情報それぞれの駐車場ＩＤ情報と駐車場ＩＤ情報が一致する前記第１の情報のうち、互いに同一の位置情報を含む第１の情報の駐車場ＩＤ情報が示す駐車場を、前記複合駐車場を構成する駐車場であると判別する、
請求項１に記載の車載器。
【請求項３】
前記駐車ＩＤ情報は、駐車場の形態に応じて異なる形態識別情報を含み、
前記制御手段は、
前記受信された複数の第２の情報それぞれに含まれる駐車場ＩＤ情報のうち、互いに前記形態識別情報を除く情報が同一の駐車場ＩＤ情報を含む第２の情報の駐車場ＩＤ情報が示す駐車場を、前記複合駐車場を構成する駐車場であると判別する、
請求項１又は２に記載の車載器。
【請求項４】
前記位置情報は、前記駐車場の代表位置を示す中心座標と前記駐車場に設けられた各入口の入口座標を含む入口情報とを含み、
前記制御手段は、
前記受信された複数の第２の情報それぞれの駐車場ＩＤ情報と駐車場ＩＤ情報が一致する第１の情報のうち、互いに同一の中心座標を含む第１の情報の駐車場ＩＤ情報が示す駐車場を、前記複合駐車場を構成する駐車場であると判別し、前記複合駐車場を構成する駐車場として判別された各駐車場の入口情報が当該互いに同一の中心座標と一致する入口座標を含む場合、前記複合駐車場を構成する駐車場として判別された各駐車場の駐車状況マークを、前記地図画面上の当該互いに同一の中心座標に応じた同一表示位置に前記表示手段に表示させる、
請求項２に記載の車載器。
【請求項５】
前記制御手段は、
前記複合駐車場を構成する駐車場として判別された各駐車場の入口情報が、前記互いに同一の中心座標と一致する入口座標を含まず、互い同一の入口座標を含む場合、前記複合駐車場を構成する駐車場として判別された各駐車場の駐車状況マークを、前記地図画面上の当該同一の入口座標に応じた同一表示位置に前記表示手段に表示させる、
請求項４に記載の車載器。
【請求項６】
前記制御手段は、
前記複合駐車場を構成する駐車場として判別された各駐車場の入口情報に含まれる入口座標が互いに異なる場合、前記複合駐車場を構成する駐車場として判別された各駐車場の駐車状況マークを、前記地図画面上の当該各駐車場の入口情報に含まれる各入口座標に応じた位置に表示させる、
請求項５に記載の車載器。
【請求項７】
前記位置情報は、前記駐車場の代表位置を示す中心座標と前記駐車場に設けられた各入口の位置を示す入口座標を含む入口情報とを含み、
前記駐車状況情報は、前記入口座標毎に設定されており、
前記制御手段は、
前記複合駐車場を構成する駐車場として判別された駐車場それぞれにおいて、当該各駐車場の各入口座標に対応する駐車状況情報のうち、他の入口座標の駐車状況情報とは異なる入口座標の駐車状況情報がある場合、前記複合駐車場を構成する駐車場として判別された各駐車場の駐車状況マークを、当該複合駐車場を構成する駐車場として判別された複数の駐車場のうちいずれかの駐車場の前記中心座標に応じた前記地図画面上の同一表示位置に前記表示手段に表示させる、
請求項３に記載の車載器。
【請求項８】
前記制御手段は、
前記複合駐車場を構成する駐車場でないと判別された駐車場において、
当該駐車場の複数の入口座標に対する駐車状況情報のうち、他の入口座標の駐車状況情報とは異なる入口座標の駐車状況情報がある場合、当該駐車場の各入口座標の駐車状況情報に応じて大きさ又は色を異ならせた駐車状況マークを、前記地図画面上の当該駐車場の中心座標に応じた同一表示位置に前記表示手段に表示させる、
請求項３又は７に記載の車載器。
【請求項９】
前記表示手段により前記地図画面上に表示された駐車状況マークのうち、いずれかの駐車状況マークの選択指示を受け付ける入力手段を備え、
前記制御手段は、
前記入力手段により前記同一表示位置に表示された駐車状況マークが選択された場合、当該駐車状況マークに対応する各駐車場の入口情報に含まれる入口座標の駐車状況情報が異なる場合、各入口座標の駐車状況情報に応じた各駐車状況マークを、前記地図画面上の当該各入口座標に応じた位置に表示させる、
請求項７又は８に記載の車載器。
【請求項１０】
前記制御手段は、
複数の前記駐車状況マークを前記地図画面上の同一表示位置に表示させる際、当該複数の駐車状況マークを平面的に入れ子状で表示させる、
請求項１から９のいずれか一項に記載の車載器。
【請求項１１】
形態が異なる複数の駐車場それぞれ固有の駐車場ＩＤ情報及び当該駐車場の位置を示す位置情報を含む第１の情報を記憶する記憶手段、
前記駐車場ＩＤ情報及び当該駐車場の駐車状況を示す駐車状況情報を含む第２の情報を受信する通信手段、
各駐車場の駐車状況を示す駐車状況マークを地図画面上に表示する表示手段、
を備えた車載器における駐車状況マークの表示方法において、
前記受信された第２の情報に対応する駐車場が複合駐車場を構成する駐車場であるかを前記第１の情報を参照して判別し、当該判別の結果により前記複合駐車場を構成する駐車場として判別された駐車場の駐車状況マークを、各駐車場の駐車状況情報に応じて大きさ又は色を異ならせて、前記地図画面上の同一表示位置に前記表示手段に表示させる、
駐車状況マークの表示方法。
【請求項１２】
コンピュータを、
形態が異なる複数の駐車場それぞれ固有の駐車場ＩＤ情報及び当該各駐車場の位置を示す位置情報を含む第１の情報を記憶する記憶手段、
前記駐車場ＩＤ情報及び当該各駐車場の駐車状況を示す駐車状況情報を含む第２の情報を受信する通信手段、
各駐車場の駐車状況を示す駐車状況マークを地図画面上に表示する表示手段、
前記受信された第２の情報に対応する駐車場が複合駐車場を構成する駐車場であるかを前記第１の情報を参照して判別し、当該判別の結果により前記複合駐車場を構成する駐車場として判別された駐車場の駐車状況マークを、各駐車場の駐車状況情報に応じて大きさ又は色を異ならせて、前記地図画面上の同一表示位置に前記表示手段に表示させる制御手段、
として機能させるためのプログラム。
【発明の詳細な説明】
【技術分野】
【０００１】
本発明は、車載器、駐車状況マークの表示方法及びプログラムに関する。
【背景技術】
【０００２】
従来、ナビゲーション装置のような車載器は、目的地までの誘導経路の表示機能や、目的地に至るまでの道路周辺の駐車場の検索機能、営業時間、駐車可能な車両制限情報、駐車料金等の駐車場に関する静的情報を表示する機能等を備えている。
【０００３】
また、駐車場の形態（構造形式）、例えば、エレベータ式、ステップ式、立体自走式、ゲート式等に関する情報を各駐車場の形態の相違を確認できる駐車場マークとして、地図画面上の駐車場位置に表示するナビゲーション装置が開示されている（特許文献１参照）。
【特許文献１】特開２００４−２０５３１６号公報
【発明の開示】
【発明が解決しようとする課題】
【０００４】
従来の技術では、駐車場の形態等の静的情報を表示するものにすぎず、駐車場毎に混雑状況（例えば、満車、混雑、空車等、これらの分類は駐車場に駐車されている台数や駐車場に占める駐車場に駐車されている台数の割合による）を示す駐車状況情報を表示するものもある。しかしながら、例えば、平地自走式の駐車場と立体自走式の駐車場から構成される複合駐車場や複数階からなる複合駐車場等、複数の形態の駐車場から構成される複合駐車場においては、平地別、立体別や階数別毎等の形態別毎に駐車状況情報を表示することができない。そのため、ユーザは目的とする駐車場（複合駐車場）に到着してから、再度、駐車可能な形態の駐車場を探さなくてはならず、使い勝手が悪いという問題がある。
【０００５】
更に、複数の入口が設けられている駐車場の場合、目的地として設定される駐車場の位置と入口とが一致していない場合が多く、駐車場近傍で経路案内が終了してしまう。そのため、ユーザは入庫可能な入口を道路上に設置された駐車状況情報が表示された看板等を頼りに探さなくてはならならず、駐車したい時間に駐車できないという問題がある。
【０００６】
本発明の課題は、形態が異なる複数の駐車場から構成される複合駐車場における駐車状況情報の表示を各駐車場に応じて把握しやすく表示させ、駐車場のへの案内及び情報表示の利便性及び信頼性を高めることである。
【課題を解決するための手段】
【０００７】
請求項１に記載の発明は、形態が異なる複数の駐車場それぞれ固有の駐車場ＩＤ情報及び当該各駐車場の位置を示す位置情報を含む第１の情報を記憶する記憶手段と、前記駐車場ＩＤ情報及び当該各駐車場の駐車状況を示す駐車状況情報を含む第２の情報を受信する通信手段と、各駐車場の駐車状況を示す駐車状況マークを地図画面上に表示する表示手段と、前記受信された第２の情報に対応する駐車場が複合駐車場を構成する駐車場であるかを前記第１の情報を参照して判別し、当該判別の結果により前記複合駐車場を構成する駐車場として判別された駐車場の駐車状況マークを、各駐車場の駐車状況情報に応じて大きさ又は色を異ならせて、前記地図画面上の同一表示位置に前記表示手段に表示させる制御手段と、を備える車載器である。
【０００８】
請求項２に記載の発明は、請求項１に記載の車載器において、前記制御手段は、前記受信された複数の第２の情報それぞれの駐車場ＩＤ情報と駐車場ＩＤ情報が一致する前記第１の情報のうち、互いに同一の位置情報を含む第１の情報の駐車場ＩＤ情報が示す駐車場を、前記複合駐車場を構成する駐車場であると判別する。
【０００９】
請求項３に記載の発明は、請求項１又は２に記載の車載器において、前記駐車ＩＤ情報は、駐車場の形態に応じて異なる形態識別情報を含み、前記制御手段は、前記受信された複数の第２の情報それぞれに含まれる駐車場ＩＤ情報のうち、互いに前記形態識別情報を除く情報が同一の駐車場ＩＤ情報を含む第２の情報の駐車場ＩＤ情報が示す駐車場を、前記複合駐車場を構成する駐車場であると判別する。
【００１０】
請求項４に記載の発明は、請求項２に記載の車載器において、前記位置情報は、前記駐車場の代表位置を示す中心座標と前記駐車場に設けられた各入口の入口座標を含む入口情報とを含み、前記制御手段は、前記受信された複数の第２の情報それぞれの駐車場ＩＤ情報と駐車場ＩＤ情報が一致する第１の情報のうち、互いに同一の中心座標を含む第１の情報の駐車場ＩＤ情報が示す駐車場を、前記複合駐車場を構成する駐車場であると判別し、前記複合駐車場を構成する駐車場として判別された各駐車場の入口情報が当該互いに同一の中心座標と一致する入口座標を含む場合、前記複合駐車場を構成する駐車場として判別された各駐車場の駐車状況マークを、前記地図画面上の当該互いに同一の中心座標に応じた同一表示位置に前記表示手段に表示させる。
【００１１】
請求項５に記載の発明は、請求項４に記載の車載器において、前記制御手段は、前記複合駐車場を構成する駐車場として判別された各駐車場の入口情報が、前記互いに同一の中心座標と一致する入口座標を含まず、互い同一の入口座標を含む場合、前記複合駐車場を構成する駐車場として判別された各駐車場の駐車状況マークを、前記地図画面上の当該同一の入口座標に応じた同一表示位置に前記表示手段に表示させる。
【００１２】
請求項６に記載の発明は、請求項５に記載の車載器において、前記制御手段は、前記複合駐車場を構成する駐車場として判別された各駐車場の入口情報に含まれる入口座標が互いに異なる場合、前記複合駐車場を構成する駐車場として判別された各駐車場の駐車状況マークを、前記地図画面上の当該各駐車場の入口情報に含まれる各入口座標に応じた位置に表示させる。
【００１３】
請求項７に記載の発明は、請求項３に記載の車載器において、前記位置情報は、前記駐車場の代表位置を示す中心座標と前記駐車場に設けられた各入口の位置を示す入口座標を含む入口情報とを含み、前記駐車状況情報は、前記入口座標毎に設定されており、前記制御手段は、前記複合駐車場を構成する駐車場として判別された駐車場それぞれにおいて、当該各駐車場の各入口座標に対応する駐車状況情報のうち、他の入口座標の駐車状況情報とは異なる入口座標の駐車状況情報がある場合、前記複合駐車場を構成する駐車場として判別された各駐車場の駐車状況マークを、当該複合駐車場を構成する駐車場として判別された複数の駐車場のうちいずれかの駐車場の前記中心座標に応じた前記地図画面上の同一表示位置に前記表示手段に表示させる。
【００１４】
請求項８に記載の発明は、請求項３又は７に記載の車載器において、前記制御手段は、前記複合駐車場を構成する駐車場でないと判別された駐車場において、当該駐車場の複数の入口座標に対する駐車状況情報のうち、他の入口座標の駐車状況情報とは異なる入口座標の駐車状況情報がある場合、当該駐車場の各入口座標の駐車状況情報に応じて大きさ又は色を異ならせた駐車状況マークを、前記地図画面上の当該駐車場の中心座標に応じた同一表示位置に前記表示手段に表示させる。
【００１５】
請求項９に記載の発明は、請求項７又は８に記載の車載器において、前記表示手段により前記地図画面上に表示された駐車状況マークのうち、いずれかの駐車状況マークの選択指示を受け付ける入力手段を備え、前記制御手段は、前記入力手段により前記同一表示位置に表示された駐車状況マークが選択された場合、当該駐車状況マークに対応する各駐車場の入口情報に含まれる入口座標の駐車状況情報が異なる場合、各入口座標の駐車状況情報に応じた各駐車状況マークを、前記地図画面上の当該各入口座標に応じた位置に表示させる。
【００１６】
請求項１０に記載の発明は、請求項１から９のいずれか一項に記載の車載器において、前記制御手段は、複数の前記駐車状況マークを前記地図画面上の同一表示位置に表示させる際、当該複数の駐車状況マークを平面的に入れ子状で表示させる。
【００１７】
請求項１１に記載の発明は、形態が異なる複数の駐車場それぞれ固有の駐車場ＩＤ情報及び当該駐車場の位置を示す位置情報を含む第１の情報を記憶する記憶手段、前記駐車場ＩＤ情報及び当該駐車場の駐車状況を示す駐車状況情報を含む第２の情報を受信する通信手段、各駐車場の駐車状況を示す駐車状況マークを地図画面上に表示する表示手段、を備えた車載器における駐車状況マークの表示方法において、前記受信された第２の情報に対応する駐車場が複合駐車場を構成する駐車場であるかを前記第１の情報を参照して判別し、当該判別の結果により前記複合駐車場を構成する駐車場として判別された駐車場の駐車状況マークを、各駐車場の駐車状況情報に応じて大きさ又は色を異ならせて、前記地図画面上の同一表示位置に前記表示手段に表示させる、駐車状況マークの表示方法である。
【００１８】
請求項１２に記載の発明は、コンピュータを、形態が異なる複数の駐車場それぞれ固有の駐車場ＩＤ情報及び当該各駐車場の位置を示す位置情報を含む第１の情報を記憶する記憶手段、前記駐車場ＩＤ情報及び当該各駐車場の駐車状況を示す駐車状況情報を含む第２の情報を受信する通信手段、各駐車場の駐車状況を示す駐車状況マークを地図画面上に表示する表示手段、前記受信された第２の情報に対応する駐車場が複合駐車場を構成する駐車場であるかを前記第１の情報を参照して判別し、当該判別の結果により前記複合駐車場を構成する駐車場として判別された駐車場の駐車状況マークを、各駐車場の駐車状況情報に応じて大きさ又は色を異ならせて、前記地図画面上の同一表示位置に前記表示手段に表示させる制御手段、として機能させるためのプログラムである。
【発明の効果】
【００１９】
本発明によれば、形態が異なる複数の駐車場から構成される複合駐車場における駐車状況情報の表示を各駐車場に応じて把握しやすく表示でき、駐車場のへの案内及び情報表示の利便性及び信頼性を高めることができる。
【発明を実施するための最良の形態】
【００２０】
[第１実施形態]
まず、構成を説明する。
図１に、本第１実施形態における配信システム１００の構成図を示す。
配信システム１００は、図１に示すように、車両Ｃに搭載された車載器１０、路側無線装置２０Ａ、２０Ｂ、無線通信アクセスポイント２０Ｃ、センター装置３０を含んで構成されている。路側無線装置２０Ａ、２０Ｂは、センター装置３０とネットワークＮ１を介して接続され、車載器１０とはＤＳＲＣ通信が可能である。
配信システム１００では、センター装置３０が路側無線装置２０Ａ、２０Ｂを介して車載器１０にコンテンツ情報を配信する。なお、コンテンツ情報については後述する。
【００２１】
また、配信システム１００では、センター装置３０と車載器１０との間でＩＰ（Internet Protocol）通信による相互通信も可能となっている。ＤＳＲＣ通信では、路側無線装置２０Ａ、２０Ｂとの通信エリア内において車載器１０がセンター装置３０からコンテンツ情報の配信を受けるのみであるが、ＩＰ通信によればＤＳＲＣの通信エリア外においても、車載器１０からセンター装置３０に対して情報提供を要求することが可能となる。
【００２２】
ＩＰ通信の方式としては、携帯電話等の無線通信デバイスを用いるＰＤＣ（Personal Digital Cellular）、ＣＤＭＡ（Code Division Multiple Access）、ＰＨＳ（Personal Handyphone System）の他、IEEE802.11a/b/g/h等の無線ＬＡＮ（Local Area Network）、IEEE802.16a/e/hのＷｉＭＡＸ（Worldwide Interoperability for Microwave Access）等、何れの方式を用いてもよい。無線通信アクセスポイント２０Ｃは適用する通信方式に応じてネットワークＮ２、Ｎ３に接続できる携帯電話の基地局や、ホストサーバ、アンテナを備えた無線ＬＡＮルータ等であり、ネットワークＮ２、Ｎ３は専用ネットワークやインターネットである。
【００２３】
ＩＰ通信を行う場合の例としては、ＤＳＲＣ通信による専用の通信だけでなく一般的なＩＰ通信にも対応可能な路側無線装置２０Ｂを設け、この路側無線装置２０Ｂを介してセンター装置３０と車載器１０とがＩＰ通信を行う方法がある。また、図１に示すように車載器１０から、各地に設けられている無線通信アクセスポイント２０Ｃに接続し、この無線通信アクセスポイント２０ＣからネットワークＮ２、Ｎ３を介してセンター装置３０とＩＰ通信を行う方法もある。
【００２４】
以下、各構成装置について説明する。
図２に、路側無線装置及び路側エリアを説明するための図を示す。
路側無線装置２０Ａ、２０Ｂは、図２に示すように本体装置２１とアンテナ２２とから構成されている。路側無線装置２０Ａ、２０Ｂは、道路脇や道路上方に設置されたアンテナ２２から、到達距離が限定されたＤＳＲＣの電波を放射して、路側無線装置２０Ａ、２０Ｂ近傍に相互通信エリアＺを形成する。この相互通信エリアＺ内にある車両Ｃの車載器１０とだけ双方向狭域無線通信が可能となる。
【００２５】
ＤＳＲＣは５．８ＧＨｚ帯域の電波を使った通信方式であり、その通信範囲は例えば数メートルから数十メートルである。路側無線装置２０Ａ、２０ＢからのＤＳＲＣの送信出力は何れも同じ程度に設定されているので、複数の路側無線装置２０Ａ、２０Ｂがそれぞれ形成する相互通信エリアＺは設置場所に関係なく、ほぼ一定である。
【００２６】
本体装置２１は、車載器１０とセンター装置３０間の情報のやりとりを仲介するための処理を行う。すなわち、アンテナ２２を介して車載器１０から受信された情報をセンター装置３０に転送し、センター装置３０から送信されたコンテンツ情報を車載器１０に転送する。本体装置２１は、情報処理や通信制御を行う制御部、記憶部等を備えたコンピュータを適用することができる。なお、路側無線装置２０Ｂは、上述のようにＤＳＲＣ通信による専用の通信だけでなく、ＤＳＲＣ通信を介して一般的なＩＰ通信も可能である。
【００２７】
車載器１０は、車両Ｃに搭載され、案内経路への誘導のための処理等を行うナビゲーション機能の他、ＤＳＲＣによるＥＴＣ（Electric Toll Collection System）利用のための処理を行う機能等を有している。
【００２８】
図３に、本第１実施形態における車載器１０の構成を示す。
車載器１０は、図３に示すように、カーナビ部１、ＶＩＣＳ（Vehicle Information and Communication System）モジュール２、ＤＳＲＣ部３、制御部４、ＩＰ通信部５を備えて構成されている。
【００２９】
カーナビ部１は、カーナビ制御部１ａ、現在地検出部１ｂ、地図記憶部１ｃ、入力部１ｄ、表示部１ｅ、記憶部１ｆ、音声出力部１ｇ等を備え、車両Ｃの現在地から目的地までの経路を算出し、当該経路に従って車両Ｃを目的地へ誘導する等のナビゲーションに係る処理を行う。
【００３０】
カーナビ制御部１ａは、現在地検出部１ｂから検出した現在地の位置情報及び地図記憶部１ｃに記憶された地図ＤＢ（データベース）等に基づいて、車両Ｃの現在地から入力部１ｄを介して設定された目的地までの経路を算出する。そして、地図記憶部１ｃに記憶されている地図ＤＢを用いて算出した経路へ誘導するための地図画面を生成し、表示部１ｅにより表示させる。
【００３１】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車両Ｃの加速度を検出し、方位センサは地磁気の検出を行って車両Ｃの絶対方位を検出する。現在地検出部１ｂは、これらセンサから取得した各検出結果に基づいて車両Ｃの現在地を示す位置情報（経度、緯度等の情報）を生成し、カーナビ制御部１ａに出力する。
【００３２】
地図記憶部１ｃは、メモリやＤＶＤ等の記録媒体から構成され、案内表示に必要な地図ＤＢ、駐車場ＤＢ、ＶＩＣＳモジュール２を介して受信されるガイド情報（道路情報、渋滞情報等）等を記憶しており、記憶手段として機能する。地図ＤＢは、表示用の地図画面、経路探索用の情報、施設や公園等の地点の情報等を含んでいる。地点の情報は、例えば地点の名称、緯度経度、住所、電話番号等である。
【００３３】
駐車場ＤＢは、予め登録された各駐車場に関する静的情報を含んでいる。
図４に、駐車場ＤＢの例を示す。
図４に示すように、駐車場ＤＢは、各駐車場の静的情報として、形態が異なる複数の駐車場それぞれ固有の駐車場ＩＤ情報（以下、駐車場ＩＤと略す）、駐車場の代表位置を示す駐車場中心座標（以下、中心座標とも称す）、駐車場の入口情報、駐車場の名称、駐車場の収容台数、駐車場形態、駐車場での車両制限（車幅や車高、重量、車種等の制限）、駐車場の営業時間、駐車場内の設備状況（身障者スペース、バリアフリー、女性専用スペース、トイレ、バイク等の有無や数）、駐車場料金の決済手段（回数券、プリペイド、クレジットカード、現金、電子マネー等の対応の有無）等を含んでいる。
即ち、各駐車場の静的情報は、駐車場毎の駐車場ＩＤ及び位置情報（中心座標、入口座標）を含む第１の情報を有している。
【００３４】
駐車場ＩＤは、１７桁のコードから構成されている。
この１７桁のコードは、自治体コード、地区コード、駐車場の種別（民間、コインパーキング、大型小売付帯、公営等）を示す種別コード、事業者コード、地区コード内でユニークに付番される駐車場固有の番号及び複合形態等を表現する枝番で構成される。駐車場の構造及び様式を示すコード、フロア階数を示すコード等を含んでいる。本第１実施形態における駐車場ＩＤとしては、駐車場の構造及び様式を示すコードを下１桁目に格納するものとする。
【００３５】
駐車場の構造及び様式を示すコードとしては、平地、立体、地下、屋上等の構造と、自走式、機械式等の様式とにより分類されたコードである。即ち、この駐車場の構造及び形式や、フロア階数を示すコードが駐車場の形態に応じて異なる形態識別情報として機能する。なお、駐車場の構造及び様式を示すコードを下２桁目に格納し、フロア階数を示すコードを下１桁目に格納するようにしても良い。
【００３６】
例えば、平地の駐車場と立体式の駐車場の組み合わせからなる複合駐車場の場合には、それぞれの駐車場に下２桁目のみが異なる駐車場ＩＤを設定したり、複数のフロア階から成る立体駐車場（複合駐車場）である場合には、各フロア階の駐車場に下１桁目のみをフロア階数毎に異ならせた駐車場ＩＤを設定することで、複合駐車場を構成する各駐車場を分類することができる。
【００３７】
入口情報は、駐車場に設けられた各入口の座標（入口座標）を含み、本第１実施形態では最大１５個の入口に関する情報を有する。即ち、駐車場中心座標と入口情報とは、駐車場ＩＤが示す駐車場の位置を示す位置情報として機能する。
【００３８】
入力部１ｄは、操作キーや表示部１ｅのモニタと一体に構成されるタッチパネル等から構成されている。入力部１ｄは、これらの操作に対応する操作信号を生成し、カーナビ制御部１ａに出力する。
【００３９】
表示部１ｅは、モニタを備え、制御部４やカーナビ制御部１ａ表示制御に従ってモニタ上に各種情報を表示する。例えば、設定画面や地図画面、センター装置３０から受信した配信情報のコンテンツの画面等を表示する。
また、本第１実施形態における表示部１ｅは、後述する駐車状況情報としての満空情報に応じて各駐車場の満車、混雑又は空車の状態を示す駐車状況マークを大きさ及び／又は色を異ならせて、各駐車場の位置情報に応じた地図画面内の表示位置に表示する表示手段として機能する。
【００４０】
記憶部１ｆは、メモリから構成され、制御部４やカーナビ制御部１ａにより実行される制御プログラム、プログラムの実行に必要なパラメータやデータ等を記憶している。
また、記憶部１ｆは、センター装置３０から受信した情報を記憶する。
【００４１】
音声出力部１ｇは、音声処理部、Ｄ／Ａ変換器、増幅器、スピーカ等を備えて構成される。音声出力部１ｇは、制御部４やカーナビ制御部１ａから指示された音声データをＤ／Ａ変換器によりアナログ信号に変換してスピーカにより音声出力する。また、音声出力部１ｇは、制御部４やカーナビ制御部１ａから指示された表音文字列データに基づいて音声処理部により合成音声信号を生成し、スピーカにより音声出力する。
【００４２】
ＶＩＣＳモジュール２は、光通信用、ＦＭ通信用、２．４ＧＨｚ電波通信用のアンテナをそれぞれ備え、ＶＩＣＳセンターと光通信、ＦＭ通信、電波通信を行う。ＶＩＣＳモジュール２はＶＩＣＳセンターから渋滞情報や道路交通情報等を受信し、制御部４に出力する。
【００４３】
ＤＳＲＣ部３は、ＤＳＲＣ制御部３ａ、ＤＳＲＣ通信部３ｂ、記憶部３ｃ、ＥＴＣ処理部３ｄ、ＩＣカードＩ／Ｆ部３ｅを備えて構成されており、ＤＳＲＣによるＥＴＣ利用のための処理や、センター装置３０からコンテンツ情報を受信するための通信処理等を行う。
【００４４】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、ＤＳＲＣ通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｄにより決済情報の書込処理を行わせる。
【００４５】
また、ＤＳＲＣ制御部３ａは、センター装置３０からコンテンツ情報を受信する際には、制御部４の指示に従って記憶部３ｃのアップリンク情報記憶領域３ｃ１に記憶されている情報を、ＤＳＲＣ通信部３ｂにより路側無線装置２０Ａ、２０Ｂに送信させる一方、ＤＳＲＣ通信部３ｂにより路側無線装置２０Ａ、２０Ｂを介してコンテンツ情報を受信した場合にはこれを制御部４に出力する。
【００４６】
ＤＳＲＣ通信部３ｂは、車両Ｃのダッシュボード上でフロントガラス近傍に固設されたアンテナを備え、このアンテナを介して路側無線装置２０Ａ、２０ＢやＥＴＣ基地局等と、ＤＳＲＣの電波の送受信を行う。
【００４７】
記憶部３ｃは、ＤＳＲＣ制御部３ａにより実行される制御プログラム等を記憶している。また、記憶部３ｃには、アップリンク情報記憶領域３ｃ１が設けられている。アップリンク情報記憶領域３ｃ１は、センター装置３０に情報を提供するために専用に設けられた記憶領域であり、アップリンク情報の他、車載器１０の特性情報が記憶される。
【００４８】
特性情報とは、車載器１０の機器特性に関する情報をいう。特性情報には、車載器１０に個々に割り振られたＩＤ（以下、車載器ＩＤという）、車載器１０が対応できる言語、地図の測地系、著作権管理技術、表示部１ｅのモニタの解像度、ＳＶＧ（Scalable Vector Graphics）の対応性、コンテンツ情報を蓄積可能な記憶容量等の情報が含まれる。
【００４９】
アップリンク情報とは、センター装置３０において配信するコンテンツ情報を選択するために用いる情報であり、例えば、ユーザが駐車場動的情報（満空情報等）を含むコンテンツ情報の配信を希望する際に用いる情報である。
なお、アップリンク情報は、制御部４によってサービス事業者に応じた内容でサービス事業者毎に生成され、最新の内容となるように制御部４が常に更新を行っている。
【００５０】
図５に、本第１実施形態におけるアップリンク情報の例を示す。
図５に示すように、アップリンク情報は、ユーザがコンテンツ情報の配信について契約をしたサービス事業者における会員情報、ユーザが駐車場を探したい位置（検索地）を示す検索位置情報（緯度、経度）、検索地が含まれる３次メッシュに関するメッシュコード情報、配信する駐車場の静的情報の更新をするか否かを示す情報更新リクエスト情報、更新する駐車場の静的情報の更新単位を示す最新情報形体フラグ、検索する駐車場の条件を示す検索条件（営業時間の開始時間・終了時間、駐車可能な車両情報、その他）等が含まれる。
ユーザが入力部１ｄにより検索地を入力することにより、検索地を設定できる。制御部４は、ユーザが目的地を設定するときや走行中に所定のキーを入力することにより、目的地や現在地を検索地として設定し、アップリンク情報の検索位置情報を設定する。
【００５１】
ＥＴＣ処理部３ｄは、ＩＣカードＩ／Ｆ部３ｅに挿抜されるＩＣ付きクレジットカード又はデビットカード等に対して決済情報等の読み書きを行う。
【００５２】
ＩＣカードＩ／Ｆ部３ｅは、上記クレジットカード等のスロットを備え、このスロットに挿入されたクレジットカード等のＩＣとＥＴＣ処理部３ｄとの間で情報のやりとりを仲介する。
【００５３】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。例えば、ＤＳＲＣ部３のＤＳＲＣ通信動作やＩＰ通信部５のＩＰ通信動作を制御する。なお、ＤＳＲＣ部３の制御にあたってはＤＳＲＣ部３のＤＳＲＣ制御部３ａとの協働により制御を行う。その他、センター装置３０から受信したコンテンツ情報やＶＩＣＳモジュール２を介して受信した交通情報等の保存、再生制御等を行う。
【００５４】
また、制御部４は、ＤＳＲＣ部３又はＩＰ通信部５により各駐車場の駐車場ＩＤと当該駐車場の駐車状況情報とを含む第２の情報としての駐車場動的情報を複数受信し、受信された複数の駐車場動的情報をそれぞれの駐車場ＩＤと駐車場ＩＤが一致する駐車場静的情報を駐車場ＤＢから参照し、当該参照した駐車場静的情報のうち、互いに同一の位置情報を含む駐車場静的情報の駐車場ＩＤが示す駐車場を、複合駐車場を構成する駐車場であると判別し、当該判別の結果により、複合駐車場を構成する駐車場として判別された駐車場の駐車状況マークを、各駐車場の満空情報に応じて大きさ及び／又は色を異ならせて、地図画面上の同一表示位置に表示部１ｅに表示させる駐車場情報表示処理を実行する制御手段として機能する。
【００５５】
ＩＰ通信部５は、携帯電話やＰＨＳ、ＬＡＮカード等の無線通信デバイス４０を接続可能に構成され、当該無線通信デバイス４０、無線通信アクセスポイント２０Ｃを介してセンター装置３０とＩＰ通信を行う。
【００５６】
次に、センター装置３０について説明する。
センター装置３０は、駐車場に関する情報（以下、駐車場情報ともいう）を記憶し、これを車載器１０に配信する。なお、図１では１台のセンター装置３０のみ示したが、センター装置３０は駐車場情報を配信するサービス事業者毎に備えられるようにしてもよい。
【００５７】
図６に、センター装置３０の機能的構成を示す。
図６に示すように、センター装置３０は制御部３１、入力部３２、表示部３３、記憶部３４、通信部３５を備えて構成されている。
【００５８】
制御部３１は、ＣＰＵ、ＲＡＭ等から構成され、記憶部３４に記憶された制御プログラムとの協働により各種演算を行う他、各部を集中制御する。
例えば、制御部３１は記憶部３４に保存されている駐車場情報を読み出し、車載器１０に配信する制御を行う。
【００５９】
入力部３２はキーボード等を備えて操作入力を受け付け、当該操作入力に応じた操作信号を制御部３１に出力する。
【００６０】
表示部３３はディスプレイを備え、制御部３１の表示制御に従ってディスプレイ上に各種画面を表示する。
【００６１】
記憶部３４は、制御部３１により実行されるプログラムの他、プログラムの実行に必要な各種データを記憶する。ユーザは、駐車場情報の配信サービスに加入する契約を行う際に会員登録を行うため、記憶部３４にはこの会員登録されたユーザの氏名、住所等の特定情報を記憶する他、ユーザが所有する車載器１０の車載器ＩＤ等の情報をユーザ毎にデータベース化して記憶する。
【００６２】
また、記憶部３４は配信すべき駐車場情報を記憶している。
駐車場情報は、駐車場動的情報、駐車場静的更新情報等から構成されている。図７（ａ）に駐車場動的情報、図７（ｂ）に駐車場静的更新情報のそれぞれのフォーマットの一例を示す。
【００６３】
図７（ａ）に示す駐車場動的情報は、車載器１０から指定された座標から最寄りの最大１５箇所までの各駐車場の動的情報である。例えば、駐車場の総数（駐車場満空情報数）や各駐車場の動的情報に関する情報等である。
各駐車場の動的情報には、駐車場ＩＤ、当該駐車場ＩＤが示す駐車場に設けられた入口のうち開場している入口を示す開入口情報、営業開始時刻や初期料金、追加料金等を示す設定情報、当該駐車場ＩＤが示す駐車場に駐車している駐車台数に応じた混雑状況（満車、混雑、空車等の状態）や空き台数等を示す駐車状況情報としての満空情報が含まれている。なお、満車とは駐車台数が駐車可能台数上限に達している状況、混雑とは駐車台数が駐車可能台数未満であって予め設定された所定台数以上である状況、空車とは駐車台数が所定台数未満である状況を示している。
本第１実施形態における駐車状況情報（例えば、満車、混雑、空車等、これらの分類は駐車場に駐車されている台数や駐車場に占める駐車場に駐車されている台数の割合による以下、満空情報ともいう）は、各駐車場ＩＤが示す駐車場全体の駐車台数に応じた混雑状況を示すものとする。
【００６４】
図７（ｂ）に示す駐車場静的更新情報は、車載器１０が記憶している駐車場の静的情報を更新するための情報である。例えば、更新する駐車場の静的情報を含む３次メッシュ数、各３次メッシュの情報に関する情報等である。
各３次メッシュの情報には、３次メッシュコード、当該３次メッシュのバージョン情報、当該３次メッシュに含まれる駐車場数、各駐車場の静的情報等が含まれている。この各駐車場の静的情報は、図４に示す駐車場ＤＢ内の各駐車場の静的情報と同様のフォーマットである。
【００６５】
なお、センター装置３０は、駐車場情報を含むコンテンツ情報を配信する機能を備えていてもよい。図８に、この場合のコンテンツ情報のフォーマットの例を示す。
【００６６】
図８に示すように、コンテンツ情報は、情報の内容により分類された識別符号（ＩＤ）により特徴付けられた複数の情報が含まれている。
【００６７】
ＩＤ＝００の構成ＩＤ情報は、コンテンツ情報内に含まれる情報のＩＤの一覧を示す（記述する）。ＩＤ＝００の構成ＩＤを参照することによりコンテンツ情報内にどの情報が含まれているかを判断することができる。
【００６８】
ＩＤ＝０１のサービス事業者情報は、サービス事業者を特定するための情報であり、例えば、事業者コード等である。
【００６９】
ＩＤ＝０２の情報提供企業情報は、コンテンツの情報に関する詳細な情報であり、例えば、サービス事業者によって割り当てられたコンテンツの提供元を示す企業コード、サービス事業者がコンテンツ情報毎にユニークに割り付けた情報コード、情報カテゴリを示す嗜好データカテゴリ等である。
【００７０】
ＩＤ＝５０の駐車場動的情報は、図７（ａ）に示した駐車場情報の駐車場動的情報と同様の情報であるため、説明は省略する。
【００７１】
ＩＤ＝５１の駐車場静的情報更新は、図７（ｂ）に示した駐車場情報の駐車場静的更新情報と同様の情報であるため、説明は省略する。
【００７２】
上記の他、コンテンツの再生条件を示すＩＤ＝０３、コンテンツの有効期限を示すＩＤ＝０４、コンテンツの提供時間を示すＩＤ＝０５、対象地点情報（コンテンツ配信元の企業の広告情報、クーポン情報等）を示すＩＤ＝１０、コンテンツのポップアップの再生地点（情報提供地点）を示すＩＤ＝２０、遷移情報（次に表示する画面（遷移先）を指定する情報等）を示すＩＤ＝３０、串刺し検索等を実現するために用いられる詳細情報を示すＩＤ＝４０、運転支援情報を示すＩＤ＝６０、嗜好データを示すＩＤ＝８０等を含んでもよい。
【００７３】
コンテンツ情報は上記各ＩＤの情報を含めて予め作成されたものを記憶部３４に保存しておき、配信時に、これらコンテンツ情報のうち配信するコンテンツ情報を制御部３１が選択する。
【００７４】
即ち、上記各ＩＤの情報は、必ずしも全てのＩＤの情報がコンテンツ情報に含まれているわけではなく、必要に応じてコンテンツ情報に含められる。例えば、あるコンテンツ情報ＩＤ００〜０５により特徴付けられた情報を持ち、また別のあるコンテンツ情報はＩＤ００〜ＩＤ０２、ＩＤ５０、ＩＤ５１により特徴付けられた情報を持つ。尚、ＩＤ００、ＩＤ０１、ＩＤ０２は基本的な情報であり、全てのコンテンツ情報は、これらのＩＤの情報を持つ。
【００７５】
また、記憶部３４は、センター装置３０において予め登録されている各駐車場の静的情報と動的情報を記憶している。駐車場の静的情報は、図４に示す駐車場ＤＢの例と同様であるため、図示及び説明は省略する。駐車場の動的情報は、具体的には各駐車場ＩＤに対応付けて動的情報を記憶している。動的情報はできるだけ現状に近い情報を提供できるように、一定時間毎に制御部３１により更新するものとする。
【００７６】
通信部３５は、路側無線装置２０Ａ、２０ＢとＤＳＲＣ通信を行うための通信用インターフェイスや、路側無線装置２０Ｂ、無線通信アクセスポイント２０ＣとＩＰ通信を行うための通信用インターフェイスを備え、制御部３１の通信制御に従って各通信方式による通信処理を実行する。
【００７７】
次に、動作について説明する。
図９を参照して、コンテンツ情報を配信する際におけるセンター装置３０、路側無線装置２０Ａ、２０Ｂ、車載器１０の処理の流れを説明する。
図９に示すように、まず車両Ｃのエンジンが起動され車載器１０の電源が投入されると（ステップＳ１）、制御部４は、車載器１０の特性情報を生成し、記憶部３ｃのアップリンク情報記憶領域３ｃ１に書き込む（ステップＳ２）。制御部４は、表示部１ｅ等の各部に問い合わせて、或いは予め記憶部１ｆに記憶されている情報を読み出す等して特性情報を取得し、アップリンク情報記憶領域３ｃ１の対応する領域に書き込む。なお、実際には制御部４が書込を指示する制御情報をＤＳＲＣ制御部３ａに出力し、このＤＳＲＣ制御部３ａがアップリンク情報記憶領域３ｃ１に書き込む。
【００７８】
その後、車両Ｃが走行を開始し、路側無線装置２０Ａ又は２０Ｂの相互通信エリアＺに進入すると（エリアイン）、路側無線装置２０Ａ又は２０Ｂは、車両Ｃを検出し、車載器１０のＤＳＲＣ制御部３ａがアップリンク情報記憶領域３ｃ１とＤＳＲＣ通信による接続処理を開始する（ステップＳ３ａ、Ｓ３ｂ）。すなわち、路側無線装置２０Ａ又は２０Ｂは、ＤＳＲＣの電波を送出し、車載器１０からの応答が得られると、通信路を確立する。路側無線装置２０Ａ又は２０Ｂは、通信路を確立するとセンター装置３０に対し接続が完了した旨の通知情報を送信する（ステップＳ４ａ）。一方、車載器１０のＤＳＲＣ部３は、制御部４に対し接続が完了した旨の通知情報を出力する（ステップＳ４ｂ）。
【００７９】
次いで、路側無線装置２０Ａ又は２０Ｂが車載器１０のＤＳＲＣ部３に対し、アップリンク情報記憶領域３ｃ１内の情報の送信要求を行うと、ＤＳＲＣ部３は、アップリンク情報記憶領域３ｃ１に書き込まれている特性情報を路側無線装置２０Ａ又は２０Ｂに送信する（ステップＳ５）。特性情報は、路側無線装置２０Ａ又は２０Ｂを介してセンター装置３０に送信される。
次いで、制御部４は、アップリンク情報を生成し、アップリンク情報記憶領域３ｃ１に書き込む（ステップＳ６）。
【００８０】
センター装置３０は、車載器１０に対し定期的にポーリングを行って（ステップＳ７）、アップリンク情報記憶領域３ｃ１に書き込まれたアップリンク情報を要求する。
車載器１０のＤＳＲＣ部３は、センター装置３０からのポーリングに応じてアップリンク情報記憶領域３ｃ１に記憶されているアップリンク情報を、路側無線装置２０Ａ又は２０Ｂを介してセンター装置３０に送信する（ステップＳ８）。
【００８１】
センター装置３０は、記憶部３４に記憶されているコンテンツ情報のうち、受信した特性情報及びアップリンク情報に応じたコンテンツ情報を読み出し、車載器１０に送信する（ステップＳ９）。
例えば、特性情報で対応できる言語が「日本語」であり、アップリンク情報が「会員情報」、「検索位置情報」、「メッシュコード情報」、「検索条件」等であれば、日本語対応であって、「検索位置情報」及び「メッシュコード情報」に応じた位置周辺であって、「検索条件」に合致した駐車場の動的情報を示す駐車場動的情報（ＩＤ＝５０）含むコンテンツ情報を選択し、車載器１０に配信する。
車載器１０では、受信したコンテンツ情報を制御部４が記憶部１ｆに保存する（ステップＳ１０）。
【００８２】
その後、センター装置３０が配信すべきコンテンツ情報を全て配信すると、配信終了を通知するメッセージ情報を制御部３１が生成して車載器１０に送信する（ステップＳ１１）。この配信終了のメッセージ情報は、ユーザに対しエリアアウトを促すためのものであり、車載器１０はこのメッセージ情報を表示する。その後、一定時間路側無線装置２０Ａ又は２０Ｂとの通信が途絶えると、車載器１０の制御部４は配信を終了したと判断してアップリンク情報を削除する制御を行う（ステップＳ１２）。この制御に応じて、ＤＳＲＣ制御部３ａはアップリンク情報記憶領域３ｃ１内のアップリンク情報を削除する。
【００８３】
上述したように、車載器１０が、ＤＳＲＣ部３を用いて路側無線装置２０Ａ又は２０Ｂを介してセンター装置３０から駐車場動的情報を取得する場合を説明したが、これに限らず、ＩＰ通信部５を用いて無線通信アクセスポイント２０Ｃを介し、ネットワークＮ２及びＮ３を経由してセンター装置３０から駐車場動的情報を取得することも可能である。
【００８４】
次に、車載器１０において駐車場動的情報を受信した場合に実行される駐車場情報保存処理を説明する。
図１０に、駐車場情報保存処理のフローチャートを示す。
なお、図１０に示す処理は制御部４がカーナビ制御部１ａ及びカーナビ部１内の各部と協働して実行するものとする。
【００８５】
制御部４は、ＤＳＲＣ部３又はＩＰ通信部５により駐車場動的情報を受信すると（ステップＳ２１）、受信した駐車場動的情報に含まれる各駐車場ＩＤ（例えば、駐車場動的情報内又はコンテンツ情報のＩＤ＝５０内の駐車場１の駐車場ＩＤ）に整理番号を付し、本処理において参照する整理番号（参照整理番号）ｎを１に設定する（ステップＳ２２）。
【００８６】
そして、制御部４は、参照整理番号ｎが付された駐車場ＩＤに対応する静的情報が駐車場ＤＢ内にあるか否かを判別し（ステップＳ２３）、参照整理番号ｎが付された駐車場ＩＤに対応する静的情報が駐車場ＤＢ内にある場合（ステップＳ２３；Ｙｅｓ）、参照整理番号ｎが付された駐車場ＩＤが示す駐車場の動的情報を記憶部１ｆに保存させ（ステップＳ２４）、参照整理番号ｎが受信した駐車場動的情報に含まれる駐車場ＩＤの総数、即ち、駐車場満空情報数Ｎと一致するか否かを判別する（ステップＳ２５）。
【００８７】
制御部４は、参照整理番号ｎが駐車場満空情報数Ｎと一致する場合（ステップＳ２５；Ｙｅｓ）、本処理を終了し、参照整理番号ｎが駐車場満空情報数Ｎと一致しない場合（ステップＳ２５；Ｎｏ）、参照整理番号ｎに１を加算して（ステップＳ２６）、ステップＳ２３に戻る。
【００８８】
制御部４は、参照整理番号ｎが付された駐車場ＩＤに対応する静的情報が駐車場ＤＢ内にない場合（ステップＳ２３；Ｎｏ）、静的情報がない旨の画面を生成し、当該画面を表示部１ｅに表示させ、静的情報の取得を行なうか否かの指示を入力部１ｄにより受け付ける。そして、入力部１ｄにより静的情報の取得を行なう指示があるか否かを判別する（ステップＳ２７）。
【００８９】
制御部４は、静的情報の取得を行なう指示がある場合（ステップＳ２７；Ｙｅｓ）、情報更新リクエスト情報及び最新情報形体フラグを含むアップリンク情報をＤＳＲＣ部３又はＩＰ通信部５を用いてセンター装置３０に送信する。センター装置３０は、指定された条件に合致する駐車場の静的情報が含まれたコンテンツ情報を車載器１０に送信する。制御部４は、駐車場ＤＢに記憶されている静的情報を受信した静的情報に更新し(ステップＳ２８)、参照整理番号ｎが付された駐車場ＩＤが示す駐車場の動的情報を記憶部１ｆに保存させ（ステップＳ２９）、ステップＳ２６に進む。
【００９０】
制御部４は、静的情報の取得を行なう指示がない場合（ステップＳ２７；Ｎｏ）、参照整理番号ｎが付された駐車場ＩＤが示す駐車場の動的情報を破棄し（ステップＳ３０）、ステップＳ２６に進む。
【００９１】
このように、駐車場ＤＢに静的情報が記憶されている駐車場の動的情報のみを保存、即ち、所在が明確な駐車場の動的情報のみを保存することができる。
【００９２】
次に、車載器１０において駐車場情報保存処理の実行完了後に実行される駐車場情報表示処理を説明する。
図１１に、本第１実施形態における駐車場情報表示処理のフローチャートを示す。
なお、図１１に示す処理は制御部４がカーナビ制御部１ａ及びカーナビ部１内の各部と協働して実行するものとするが、カーナビ制御部１ａがカーナビ部１内の各部と協働して実行するものであってもよい。
【００９３】
制御部４は、アップリンク情報に含んだ検索地を示す検索位置情報は、当該アップリンク情報を送信した際（検索要求時）の車両Ｃの位置であるか否かを判別する（ステップＳ４１）。
【００９４】
制御部４は、検索地を示す検索位置情報が検索要求時の車両Ｃの位置でない場合（ステップＳ４１；Ｎｏ）、検索地を示す検索位置情報が現在表示部１ｅに表示中の地図画面が示す地図情報上のエリアに含まれているか否かを判別する（ステップＳ４２）。
【００９５】
制御部４は、検索地を示す検索位置情報が現在表示部１ｅに表示中の地図画面が示すエリアに含まれていない場合（ステップＳ４２；Ｎｏ）当該検索位置情報が含まれるエリアを示す地図画面を生成し、表示部１ｅに表示させる（ステップＳ４３）。
【００９６】
制御部４は、検索地を示す検索位置情報が検索要求時の車両Ｃの位置である場合（ステップＳ４１；Ｙｅｓ）、当該検索位置情報が表示部１ｅに現在表示中の地図画面が示すエリアに含まれている場合（ステップＳ４２；Ｙｅｓ）、又は、ステップＳ４３後、即ち、表示部１ｅに当該検索位置情報を含むエリアを示す地図画面が表示された後、駐車場情報保存処理において保存した全ての駐車場の動的情報の駐車場ＩＤに対応する駐車場ＤＢ内の各静的情報それぞれを参照し、現在表示中の地図画面のエリアには、当該駐車場情報保存処理において保存した全ての駐車場の位置情報が含まれているか否かを判別する（ステップＳ４４）。
【００９７】
制御部４は、現在表示中の地図画面のエリアには、当該駐車場情報保存処理において保存した全ての駐車場の位置情報が含まれていない場合（ステップＳ４４；Ｎｏ）、現在表示中の地図画面のエリアを保存した全ての駐車場の位置情報が含まれるエリアに縮尺変更を行い、当該縮尺変更した地図画面を表示部１ｅに表示させる（ステップＳ４５）。
【００９８】
制御部４は、現在表示中の地図画面のエリアを駐車状況マークを表示するエリアに設定する（ステップＳ４６）。そして、駐車場情報保存処理において保存した各駐車場の動的情報の駐車場ＩＤに対応する駐車場ＤＢ内の各静的情報それぞれを参照して、互いに同一の駐車場中心座標を含む駐車場の静的情報があるか、即ち、保存した複数の駐車場のうち、複合駐車場を構成する駐車場があるか否かを判別する（ステップＳ４７）。
【００９９】
制御部４は、互いに同一の駐車場中心座標を含む静的情報がない場合、即ち、保存した全ての駐車場は、複合駐車場を構成する駐車場ではない場合（ステップＳ４７；Ｎｏ）、駐車場中心座標と入口情報が示す座標とが一致する駐車場の静的情報がないか否かを判別する（ステップＳ４８）。
【０１００】
制御部４は、駐車場中心座標と入口情報が示す座標とが一致する駐車場の静的情報がない場合、即ち、駐車場情報保存処理において動的情報を保存した全ての各駐車場の中心座標と各入口情報が示す座標とが一致しない場合（ステップＳ４８；Ｙｅｓ）、各駐車場の動的情報が含む満空情報に応じて大きさ及び／又は色が異なる駐車状況マークを、各駐車場の各入口情報が示す座標に応じた地図画面内の位置に表示させ（ステップＳ４９）、本処理を終了する。
【０１０１】
制御部４は、駐車場中心座標と入口情報が示す座標とが一致する駐車場の静的情報がある場合、即ち、駐車場情報保存処理において動的情報を保存したいずれかの駐車場の中心座標と入口情報が示す座標とが一致する場合（ステップＳ４８；Ｎｏ）、各駐車場の動的情報が含む満空情報に応じて大きさ及び／又は色が異なる駐車状況マークを、各駐車場の中心座標に応じた地図画面内の位置に表示させ（ステップＳ５０）、本処理を終了する。
なお、中心座標が無い場合も、入口情報が示す位置に駐車状況マークを表示する。
【０１０２】
制御部４は、他の駐車場の静的情報と一致する（同一の）駐車場中心座標を含む駐車場の静的情報がある場合、即ち、駐車場情報保存処理において保存した複数の駐車場のうち、複合駐車場を構成する駐車場がある場合（ステップＳ４７；Ｙｅｓ）、駐車場情報管理テーブルを生成する（ステップＳ５１）。
【０１０３】
ステップＳ５１における駐車場情報管理テーブルの生成は、まず、駐車場情報保存処理において動的情報を保存した各駐車場の動的情報と当該各駐車場の静的情報とを対応付けた駐車場情報を示すレコードが複数集まって構成された駐車場情報管理テーブルを記憶部１ｆに生成する。この駐車場情報管理テーブルを生成する際、各レコードに整理番号を付す。そして、中心座標が他の駐車場と一致する静的情報を有するレコード、即ち、複合駐車場を構成する駐車場のレコードには同一フラグを設定すると共に、同一フラグが設定された場合には中心座標が一致する他の駐車場の駐車場ＩＤを付加する。（ステップＳ５１）。
【０１０４】
図１２に、本第１実施形態における駐車場情報管理テーブルの例を示す。
図１２に示すように、駐車場情報管理テーブルは、整理番号と、駐車場ＩＤと、駐車場ＩＤに対応する駐車場の動的情報としての満空情報と、駐車場ＩＤに対応する駐車場の静的情報としての中心座標、入口情報（入口座標）１〜１５、車両制限、設備状況、営業時間と、同一フラグを同一駐車場ＩＤとから成るレコードが、駐車場情報保存処理において動的情報を保存した駐車場の数分だけ集まって構成されている。
【０１０５】
同一フラグには、中心座標が他の駐車場と一致する静的情報を有する場合、即ち、複合駐車場を構成する駐車場のレコードである場合には１が設定される。
また、同一駐車場ＩＤには、同一フラグが１に設定された場合において中心座標が一致する他の駐車場の駐車場ＩＤが格納される。
【０１０６】
制御部４は、駐車場情報管理テーブルを生成した後（ステップＳ５１後）、生成した駐車場情報管理テーブルにおいて参照するレコードを示す整理番号（参照整理番号）ｍを１に設定する（ステップＳ５２）。
【０１０７】
制御部４は、参照整理番号ｍのレコードには同一フラグが１に設定されているか否かを判別し（ステップＳ５３）、同一フラグが１に設定されていない場合、即ち、同一フラグが０である場合（ステップＳ５３；Ｎｏ）、第１駐車状況マーク表示処理を実行する（ステップＳ５４）。一方、制御部４は、参照整理番号ｍのレコードには同一フラグが１に設定されている場合（ステップＳ５３；Ｙｅｓ）、第２駐車状況マーク表示処理を実行する（ステップＳ５５）。
【０１０８】
制御部４は、ステップＳ５４又はＳ５５後、参照整理番号ｍが駐車場情報管理テーブルを構成するレコードの総数Ｍ、即ち、駐車場情報保存処理において動的情報を保存した駐車場の総数と一致するか否かを判別し（ステップＳ５６）、一致しない場合（ステップＳ５５；Ｎｏ）、参照整理番号ｍに１を加算して（ステップＳ５７）、ステップＳ５３に戻る。
【０１０９】
制御部４は、参照整理番号ｍが駐車場情報管理テーブルを構成するレコードの総数Ｍ、即ち、駐車場情報保存処理において動的情報を保存した駐車場の総数と一致する場合（ステップＳ５６；Ｙｅｓ）、駐車場情報表示処理を実行し（ステップＳ５８）、本処理を終了する。
【０１１０】
図１３に、ステップＳ５４において実行される第１駐車状況マーク表示処理のフローチャートを示す。
【０１１１】
制御部４は、参照整理番号ｍのレコードの中心座標と当該レコードの各入口情報が示す座標とを比較し、中心座標と全ての入口情報が示す座標とが異なるか否かを判別する（ステップＳ６１）。すなわち入口情報１〜１５のうち、中心座標と一致するものがないかを判別する。
【０１１２】
制御部４は、参照整理番号ｍのレコードの中心座標と当該レコードの全ての入口情報が示す座標とが異なる場合（ステップＳ６１；Ｙｅｓ）、当該レコードの満空情報に応じて大きさ及び／又は色が異なる駐車状況マークを、各入口情報が示す座標に応じた地図画面内の位置に表示させ（ステップＳ６２）、本処理を終了する。
【０１１３】
制御部４は、参照整理番号ｍのレコードの中心座標と当該レコードの全ての入口情報が示す座標とが異ならない場合（ステップＳ６１；Ｎｏ）、当該レコードの満空情報に応じて大きさ及び／又は色が異なる駐車状況マークを、中心座標に応じた地図画面内の位置に表示させ（ステップＳ６３）、本処理を終了する。
【０１１４】
図１４に、ステップＳ５５において実行される第２駐車状況マーク表示処理のフローチャートを示す。本処理は、同一フラグが１に設定され、複合駐車場を構成する駐車場として判別された駐車場の駐車状況マークの表示処理である。
【０１１５】
制御部４は、参照整理番号ｍのレコードと、当該レコードの同一駐車場ＩＤが示す駐車場ＩＤのレコード（参照整理番号ｍのレコードと中心座標が一致するレコード、以下、一致レコードとも称す。）と、を参照し、これら各レコードの入口情報（入口情報１〜１５）に中心座標が含まれているか、即ち、各レコードには中心座標と一致する入口情報が示す座標が含まれているか否かを判別する（ステップＳ７１）。
【０１１６】
制御部４は、参照整理番号ｍのレコードと一致レコードのそれぞれは、中心座標と一致する入口情報が示す座標が含まれている場合（ステップＳ７１；Ｙｅｓ）、参照整理番号ｍのレコードの満空情報と、一致レコードの満空情報とが異なるか否かを判別する（ステップＳ７２）。
【０１１７】
制御部４は、参照整理番号ｍのレコードの満空情報と、一致レコードの満空情報とが異なる場合（ステップＳ７２；Ｙｅｓ）、参照整理番号ｍのレコードの満空情報に応じて大きさ及び／又は色が異なる駐車状況マークと、一致レコードの満空情報と応じて大きさ及び／又は色が異なる駐車状況マークとを、地図が面上のこれら各レコードにおいて同一の中心座標に応じた同一表示位置に重ねて表示させ（ステップＳ７３）、本処理を終了する。
【０１１８】
制御部４は、参照整理番号ｍのレコードの満空情報と、一致レコードの満空情報とが異ならない場合、即ち同一の満空情報である場合（ステップＳ７２；Ｎｏ）、参照整理番号ｍのレコードの満空情報及び一致レコードの満空情報に応じた駐車状況マークを、地図画面上の参照整理番号ｍのレコードの中心座標に応じた表示位置に表示させ（ステップＳ７４）、本処理を終了する。
【０１１９】
制御部４は、参照整理番号ｍのレコードと一致レコードのそれぞれは、中心座標と一致する入口情報が示す座標がそれぞれない場合（ステップＳ７１；Ｎｏ）、参照整理番号ｍのレコードと一致レコードとは互いに同一の入口情報が示す座標をが有しているか否かを判別する（ステップＳ７５）。
【０１２０】
制御部４は、参照整理番号ｍのレコードと一致レコードとが互いに同一の入口情報が示す座標を有している場合（ステップＳ７５；Ｙｅｓ）、参照整理番号ｍのレコードの満空情報と一致レコードの満空情報とが異なるか否かを判別する（ステップＳ７６）。
【０１２１】
制御部４は、参照整理番号ｍのレコードの満空情報と一致レコードの満空情報とが異なる場合（ステップＳ７６；Ｙｅｓ）、参照整理番号ｍのレコードの満空情報に応じて大きさ及び／又は色が異なる駐車状況マークと、一致レコードの満空情報と応じて大きさ及び／又は色が異なる駐車状況マークとを、地図画面上の同一の入口情報が示す座標に応じた同一表示位置に重ねて表示させ（ステップＳ７７）、本処理を終了する。
【０１２２】
制御部４は、参照整理番号ｍのレコードの満空情報と一致レコードの満空情報とが異ならない場合、即ち同一の満空情報である場合（ステップＳ７６；Ｎｏ）、参照整理番号ｍのレコードの満空情報及び／又は一致レコードの満空情報に応じた駐車状況マークを、地図画面上の同一の入口情報が示す座標に応じた表示位置に表示させ（ステップＳ７８）、本処理を終了する。
【０１２３】
制御部４は、参照整理番号ｍのレコードと一致レコードとが互いに同一の入口情報が示す座標を有していない場合（即ち、参照整理番号ｍのレコードの各入口情報が示す座標と一致レコードの各入口情報が示す座標とが異なる場合）（ステップＳ７５；Ｎｏ）、参照整理番号ｍのレコードの満空情報に応じて大きさ及び／又は色が異なる駐車状況マークを、地図画面上の参照整理番号ｍのレコードの各入口情報が示す座標に応じた表示位置に表示させ、また、一致レコードの満空情報に応じて大きさ及び／又は色が異なる駐車状況マークを、地図画面上の一致レコードの各入口情報が示す座標に応じた表示位置に表示させ（ステップＳ７９）、本処理を終了する。
【０１２４】
図１５に、地図画面上に表示される駐車状況マークの例を示す。
図１５（ａ）に、満空情報が空車である場合の駐車状況マーク（空車マーク）Ｐ１を示す。図１５（ｂ）に、満空情報が混雑である場合の駐車状況マーク（混雑マーク）Ｐ２を示す。図１５（ｃ）に、満空情報が満車である場合の駐車状況マーク（満車マーク）Ｐ３を示す。
【０１２５】
図１５に示すように、各駐車状況マークＰ１、Ｐ２、Ｐ３の大きさの関係は、空車マークＰ１、混雑マークＰ２、満車マークＰ３の順番に大きさが大きくなる関係であり、駐車している台数が多くなる程、駐車状況マークの大きさを大きくし、駐車台数に応じた混雑状況を視覚的に把握しやすいものとする。また、各駐車状況マークＰ１、Ｐ２、Ｐ３の色の関係は、それぞれ互いに異なる色である。例えば、空車マークＰ１を青色、混雑マークＰ２をオレンジ色、満車マークＰ３を赤色に設定し、駐車台数に応じた混雑状況を視覚的に区別しやすいものとする。
【０１２６】
図１６に、駐車状況マークを同一表示位置に表示させた場合の例を示す。
図１６に示すように、駐車状況マークＰ１、Ｐ２、Ｐ３を地図画面上の同一の位置情報に応じた同一表示位置に表示する際、地図画面が２次元形式で表示されている場合には平面的に入れ子状で表示させる。この入れ子状とは、大きなものから小さなものへ順次重ねて組み入れた状態をいう。例えば、各駐車状況マークＰ１、Ｐ２、Ｐ３の大きさの関係が空車マークＰ１、混雑マークＰ２、満車マークＰ３の順番に大きさが大きくなる関係である場合には、換言すると、最も内側の空車マークＰ１と、中間の混雑マークＰ２と、外側の満車マークＰ３とが所定の位置座標を中心とする同心円状位置に重ねて配置された状態である。なお、地図画面が３次元形式で表示されている場合には、駐車状況マークを大きなものから小さなものへ順次重ねた状態で表示してもよい。
従って、同一の位置に満空情報を示す駐車状況マークを表示させる際でも、各駐車状況マークが示す満空情報の視認が可能となる。
【０１２７】
図１７に、ステップＳ５８において実行される第１実施形態における駐車場情報詳細表示処理のフローチャートを示す。
【０１２８】
まず、図１８に、ステップＳ５４又はステップＳ５５により表示部１ｅに表示される地図画面の例を示す。図１８に示すように、地図画面Ｇ１には、各駐車場の満空情報を示す各種駐車状況マークＡ１〜Ａ５が各位置情報に応じた位置に表示されているものとする。駐車状況マークＡ１、Ａ２は、各種駐車状況マークが平面的に入れ子状に表示されている。
【０１２９】
制御部４は、地図画面Ｇ１上に表示された駐車状況マークのうち、いずれかの駐車状況マークが押下され選択されたか否か、即ち、選択された駐車状況マークに対応する駐車場の詳細情報の表示要求があるか否かを判別し（ステップＳ８１）、駐車場の詳細情報の表示要求がない場合（ステップＳ８１；Ｎｏ）、本処理を終了する。
【０１３０】
制御部４は、地図画面Ｇ１上に表示された駐車状況マークのうち、いずれかの駐車状況マークが押下され選択された場合、即ち、選択された駐車状況マークに対応する駐車場の詳細情報の表示要求がある場合（ステップＳ８１；Ｙｅｓ）、選択された駐車場の詳細情報を含む地図画面を表示させ（ステップＳ８２）、本処理を終了する。
【０１３１】
図１９に、ステップＳ８２において表示される駐車場の詳細情報を含む地図画面の例を示す。図１９に示す地図画面Ｇ２は、駐車状況マークＡ１が選択された場合において表示される地図画面の例である。この地図画面Ｇ２には、選択された駐車状況マークＡ１に対応する駐車場の詳細情報のリストＬ１が表示されている。当該リストＬ１は、選択された駐車状況マークＡ１に対応する各駐車場ＩＤが示す駐車場の静的情報に応じた駐車場の名称や動的情報に応じた満空情報等の詳細情報が表示されている。
なお、リストＬ１に表示された各駐車場を選択可能とし、当該選択された駐車場の情報、例えば、収容台数、車両制限、営業時間、設備情況、決済手段等の静的情報を表示してもよい。
【０１３２】
[第２実施形態]
第２実施形態に係る配信システムの構成、路側無線装置及び路側エリアの説明、車載器１０の構成、駐車場ＤＢの例、アップリンク情報の例、センター装置３０の機能的構成、コンテンツ情報を配信する際におけるセンター装置３０、路側無線装置２０Ａ、２０Ｂ、車載器１０の処理の流れ、駐車場情報保存処理は、第１実施形態と同一であるため、これらの図示及び説明は省略し、異なる動作部分のみ説明する。
【０１３３】
本第２実施形態における駐車場情報のうち、駐車場動的情報は、満空情報（駐車状況情報）が各駐車場ＩＤが示す駐車場に設けられている入口毎（入口情報毎）の混雑状況を示している。図２０に、本第２実施形態における駐車場動的情報のフォーマットの一例を示す。なお、駐車場静的情報、駐車場静的更新情報は、第１実施形態と同様であるため、図示及び説明は省略する。
【０１３４】
図２０に示す駐車場動的情報は、載器１０から指定された座標から最寄りの最大１５箇所までの各駐車場の動的情報である。例えば、駐車場の総数（駐車場満空情報数）や各駐車場の動的情報に関する情報等である。
各駐車場の動的情報には、駐車場ＩＤ、開入口情報、設定情報、入口別の満空情報の総数を示す総満空情報数、当該駐車場ＩＤが示す駐車場に設けられた入口毎に設定された駐車スペースに駐車している駐車台数に応じた混雑状況（満車、混雑、空車等の状態）や空き台数等を示す駐車状況情報としての満空情報が入口の数だけ含まれている。
【０１３５】
図２１に、第２実施形態における駐車場情報表示処理のフローチャートを示す。
なお、図２１に示す処理は制御部４がカーナビ制御部１ａ及びカーナビ部１内の各部と協働して実行するものとするが、カーナビ制御部１ａがカーナビ部１内の各部と協働して実行するものであってもよい。
【０１３６】
図２１に示すステップＳ１０１〜Ｓ１０７の処理は、第１実施形態において図１１を参照して説明したステップＳ４１〜Ｓ４７と同一の処理であるため、ステップＳ１０１〜１０７の説明を省略する。
【０１３７】
制御部４は、互いに同一の駐車場中心座標を含む静的情報がない場合、即ち、駐車場情報保存処理において保存した全ての駐車場は、複合駐車場を構成する駐車場ではない場合（ステップＳ１０７；Ｎｏ）、各駐車場それぞれの駐車場ＩＤを参照して、互いに下１桁（又は下２桁）を除く駐車場ＩＤが同一の駐車場ＩＤがあるか否かを判別して、複合駐車場を構成する駐車場があるか否かを判別し（ステップＳ１０８）、互いに下１桁（又は下２桁）を除く駐車場ＩＤが同一の駐車場ＩＤがない場合（ステップＳ１０８；Ｎｏ）、ステップＳ１１０に進む。
【０１３８】
制御部４は、他の駐車場の静的情報と一致する（同一の）駐車場中心座標を含む駐車場の静的情報がある場合、即ち、駐車場情報保存処理において保存した複数の駐車場のうち、複合駐車場を構成する駐車場がある場合（ステップＳ１０７；Ｙｅｓ）、又は、互いに下１桁（又は下２桁）を除く駐車場ＩＤが同一の駐車場ＩＤがある場合（ステップＳ１０８；Ｙｅｓ）、駐車場情報管理テーブルを生成する（ステップＳ１０９）。
【０１３９】
ステップＳ１０９における駐車場情報管理テーブルの生成は、まず、駐車場情報保存処理において動的情報を保存した各駐車場の動的情報と当該各駐車場の静的情報とを対応付けた駐車場情報を示すレコードが複数集まって構成された駐車場情報管理テーブルを記憶部１ｆに生成する。この駐車場情報管理テーブルを生成する際、各レコードに整理番号を付す。そして、中心座標が他の駐車場と一致する静的情報を有するレコード、即ち、複合駐車場を構成する駐車場のレコードに同一フラグを設定すると共に、同一フラグが設定された場合には中心座標が一致する他の駐車場の駐車場ＩＤを付加、又は、駐車場ＩＤの下２桁を除く同一の駐車場ＩＤと同じレコード、即ち、複合駐車場を構成する駐車場のレコードに同一フラグを設定すると共に、同一フラグが設定された場合には下１桁（又は下２桁）を除く駐車場ＩＤが同じ駐車場ＩＤを付加する。
【０１４０】
図２２に、本第２実施形態における駐車場情報管理テーブルの例を示す。
図２２に示すように、駐車場情報管理テーブルは、整理番号と、駐車場ＩＤと、駐車場ＩＤに対応する駐車場の動的情報としての入口情報毎の満空情報と、駐車場ＩＤに対応する駐車場の静的情報としての中心座標、入口情報（入口座標）１〜１５、車両制限、設備状況、営業時間と、同一フラグと同一駐車場ＩＤとから成るレコードが、駐車場情報保存処理において動的情報を保存した駐車場の数分だけ集まって構成されている。
【０１４１】
同一フラグには、中心座標が他の駐車場と一致する静的情報を有する場合、又は、駐車場ＩＤの下１桁（下２桁）を除く駐車場ＩＤが他の下２桁を除く駐車場ＩＤと同一である場合、即ち、複合駐車場を構成する駐車場のレコードである場合には１が設定される。
また、同一駐車場ＩＤには、同一フラグが１に設定された場合において、中心座標が一致する駐車場の駐車場ＩＤ、又は、互いに下１桁（又は下２桁）を除く駐車場ＩＤが同一の駐車場ＩＤが格納される。
【０１４２】
制御部４は、駐車場情報管理テーブルを生成した後（ステップＳ１０９後）、生成した駐車場情報管理テーブルにおいて参照するレコードを示す整理番号（参照整理番号）ｍを１に設定する（ステップＳ１１０）。
【０１４３】
ステップＳ１１１〜Ｓ１１６の処理は、ステップＳ１１２、ステップＳ１１３、ステップＳ１１６の処理が第１実施形態と異なる以外、ステップＳ５２〜Ｓ５８と同一の処理であるため、ステップＳ１１１〜１１６の説明を省略する。
【０１４４】
図２３に、ステップＳ１１２において実行される第３駐車状況マーク表示処理のフローチャートを示す。
【０１４５】
制御部４は、参照整理番号ｍのレコードに複数の入口情報があるか否かを判別し（ステップＳ１２１）、複数の入口情報がない場合（ステップＳ１２１；Ｎｏ）、ステップＳ１２４に進む。
【０１４６】
制御部４は、参照整理番号ｍのレコードに複数の入口情報がある場合（ステップＳ１２１；Ｙｅｓ）、参照整理番号ｍのレコードが有する各入口情報の満空情報において、他の入口情報の満空情報とは異なる入口情報の満空情報があるか否かを判別する（ステップＳ１２２）。
【０１４７】
制御部４は、参照整理番号ｍのレコードが有する各入口情報の満空情報において、他の入口情報の満空情報と異なる入口情報の満空情報がある場合（ステップＳ１２２；Ｙｅｓ）、各入口情報の満空情報に応じて大きさ及び／又は色が異なる駐車状況マークを、地図画面上の参照整理番号ｍのレコードの中心座標に応じた同一表示位置に重ねて表示させ（ステップＳ１２３）、本処理を終了する。
【０１４８】
制御部４は、ステップＳ１２１；Ｎｏ後、又は、参照整理番号ｍのレコードが有する各入口情報の満空情報において、他の入口情報の満空情報と異なる入口情報の満空情報がない場合、即ち、全ての入口情報の満空情報が一致する場合（ステップＳ１２２；Ｎｏ）、各入口情報の満空情報に応じた駐車状況マークを、地図画面上の参照整理番号ｍのレコードの中心座標に応じた表示位置に表示させ（ステップＳ１２４）、本処理を終了する。
【０１４９】
図２４に、ステップＳ１１３において実行される第４駐車状況マーク表示処理のフローチャートを示す。本処理は、同一フラグが１に設定され、複合駐車場を構成する駐車場として判別された駐車場の駐車状況マークの表示処理である。
【０１５０】
制御部４は、参照整理番号ｍのレコードと、当該レコードの同一駐車場ＩＤが示す駐車場ＩＤのレコード（参照整理番号ｍのレコードと中心座標が一致するレコード、以下、一致レコードとも称す。）とを参照し（ステップＳ１３１）、これら各レコードの各入口情報の満空情報のうち他とは異なる満空情報があるか否かを判別する（ステップＳ１３２）。
【０１５１】
制御部４は、参照整理番号ｍのレコードと一致レコードの各入口情報の満空情報のうち異なる満空情報がある場合（ステップＳ１３２；Ｙｅｓ）、各入口情報の満空情報に応じて大きさ及び／又は色が異なる駐車状況マークを、地図画面上の参照レコード又は一致レコードのいずれかのレコードの中心座標に応じた同一表示位置に重ねて表示させ（ステップＳ１３３）、本処理を終了する。
【０１５２】
制御部４は、参照整理番号ｍのレコードと一致レコードの各入口情報の満空情報のうち他とは異なる満空情報がない場合、即ち、参照整理番号ｍのレコードと一致レコードの全ての入口情報の満空情報が一致している場合（ステップＳ１３２；Ｎｏ）、各入口情報の満空情報に応じた駐車状況マークを、地図画面上の参照レコードの中心座標に応じた表示位置に表示させ（ステップＳ１３４）、本処理を終了する。
【０１５３】
なお、地図画面上に表示される駐車状況マークの例は、図１５及び図１６に示した第１実施形態と同様であるため、図示及び説明は省略する。
【０１５４】
図２５に、ステップＳ１１６において実行される第２実施形態における駐車場情報詳細表示処理のフローチャートを示す。
【０１５５】
まず、図１８に示すように、地図画面Ｇ１には、各駐車場の満空情報を示す各種駐車状況マークＡ１〜Ａ５が中心座標に対応する位置に表示されているものとする。駐車状況マークＡ１、Ａ２は、各種駐車状況マークが平面的に入れ子状で表示されている。
【０１５６】
制御部４は、地図画面Ｇ１上に表示された駐車状況マークのうち、入力部１ｄのタッチパネル上においていずれかの駐車状況マークに対応する位置が押下されることにより駐車状況マークが選択されたか否か、即ち、選択された駐車状況マークに対応する駐車場の詳細情報の表示要求があるか否かを判別し（ステップＳ１４１）、駐車場の詳細情報の表示要求がない場合（ステップＳ１４１；Ｎｏ）、本処理を終了する。即ち、タッチパネルを有する入力部１ｄが地図画面内に表示された駐車状況マークのうち、いずれかの駐車状況マークの選択指示を受け付ける入力手段として機能する。
【０１５７】
制御部４は、地図画面Ｇ１上に表示された駐車状況マークのうち、いずれかの駐車状況マークが押下され選択された場合、即ち、選択された駐車状況マークに対応する駐車場の詳細情報の表示要求がある場合（ステップＳ１４１；Ｙｅｓ）、選択された駐車場の静的情報に基づいて、現在表示されている地図画面のエリアを当該選択された駐車場の位置情報が含まれるエリアに拡大する。駐車場の位置情報を中心としてエリアを拡大するようにしてもよい（ステップＳ１４２）。
【０１５８】
そして制御部４は、選択された駐車状況マークに対応する駐車場のレコードに複数の入口情報があるか否かを判別し（ステップＳ１４３）、複数の入口情報がない場合（ステップＳ１４３；Ｎｏ）、ステップＳ１４６に進む。
【０１５９】
制御部４は、選択された駐車状況マークに対応する駐車場のレコードに複数の入口情報がある場合（ステップＳ１４３；Ｙｅｓ）、選択された駐車状況マークに対応する駐車場のレコードが有する各入口情報の満空情報において、他の入口情報の満空情報と異なる入口情報の満空情報があるか否かを判別する（ステップＳ１４４）。
【０１６０】
制御部４は、選択された駐車状況マークに対応する駐車場のレコードが有する各入口情報の満空情報において、他の入口情報の満空情報と異なる入口情報の満空情報がある場合（ステップＳ１４４；Ｙｅｓ）、各入口情報の満空情報に応じて大きさ及び／又は色が異なる駐車状況マークを、地図画面上の各入口情報が示す座標に応じた表示位置に表示させ（ステップＳ１４５）、本処理を終了する。
【０１６１】
制御部４は、ステップＳ１４３；Ｎｏ後、又は、選択された駐車状況マークに対応する駐車場のレコードが有する各入口情報の満空情報において、他の入口情報の満空情報と異なる入口情報の満空情報がない場合、即ち、全ての入口情報の満空情報が一致する場合（ステップＳ１４４；Ｎｏ）、各入口情報の満空情報に応じて大きさ及び／又は色が異なる駐車状況マークを、地図画面上の中心座標に応じた表示位置に表示させ（ステップＳ１４６）、本処理を終了する。
【０１６２】
図２６に、ステップＳ１４５において表示される地図画面の例を示す。
図２６に示す地図画面Ｇ３は、図１８の地図画面Ｇ１上に表示された駐車状況マークＡ１が選択された場合に表示される地図画面の例である。
この地図画面Ｇ３には、選択された駐車状況マークＡ１に対応する駐車場の詳細情報のリストＬ１と、各入口情報の満空情報に応じて大きさ及び／又は色が異なる駐車状況マークＡ１ａ、Ａ１ｂが各入口情報が示す座標に応じた地図画面の位置に表示される。
なお、複数の入口情報がある場合であって入口別に駐車スペースが区画されている駐車場の場合、入口別に駐車スペースが分かれている旨を示す印として、区画線Ｄが地図画面上に表示される。
【０１６３】
図２７に、ステップＳ１４６において表示される地図画面の例を示す。
図２７に示す地図画面Ｇ４は、図１８の地図画面Ｇ１上に表示された駐車状況マークＡ１が選択された場合に表示される地図画面の例である。
この地図画面Ｇ４には、選択された駐車状況マークＡ１に対応する駐車場の詳細情報のリストＬ１と、各入口情報の満空情報に応じて大きさ及び／又は色が異なる駐車状況マークＡ１が中心座標に応じた地図画面の位置に表示される。
【０１６４】
なお、本第２実施形態における駐車場情報詳細表示処理は、図１７に示した第１実施形態における駐車場情報表示処理であってもよい。
【０１６５】
以上のように、第１実施形態及び第２実施形態によれば、形態が異なる複数の駐車場から構成される複合駐車場における満空情報（駐車状況情報）の表示を各駐車場に応じて把握しやすく表示でき、駐車場のへの案内及び情報表示の利便性及び信頼性を高めることができる。
【図面の簡単な説明】
【０１６６】
【図１】配信システムの構成図である。
【図２】路側無線装置及び路側エリアを説明するための図である。
【図３】車載器の構成図である。
【図４】駐車場ＤＢの例を示す図である。
【図５】アップリンク情報の例を示す図である。
【図６】センター装置の機能的構成図である。
【図７】図７（ａ）は駐車場動的情報、図７（ｂ）は駐車場静的更新情報のそれぞれのフォーマットの一例を示す図である。
【図８】コンテンツ情報のフォーマットの一例を示す図である。
【図９】コンテンツ情報を配信する際におけるセンター装置、路側無線装置、車載器の処理の流れを説明する図である。
【図１０】駐車場情報保存処理のフローチャートである。
【図１１】第１実施形態における駐車場情報表示処理のフローチャートである。
【図１２】第１実施形態における駐車場情報管理テーブルの例を示す図である。
【図１３】第１駐車状況マーク表示処理のフローチャートである。
【図１４】第２駐車状況マーク表示処理のフローチャートである。
【図１５】地図画面上に表示される駐車状況マークの例を示す図である。
【図１６】駐車状況マークを同一表示位置に表示させた場合の例を示す図である。
【図１７】第１実施形態における駐車場情報詳細表示処理のフローチャートである。
【図１８】ステップＳ５４又はステップＳ５５により表示部１ｅに表示される地図画面の例を示す図である。
【図１９】ステップＳ８２において表示される駐車場の詳細情報を含む地図画面の例を示す図である。
【図２０】第２実施形態における駐車場動的情報のフォーマットの一例を示す図である。
【図２１】第２実施形態における駐車場情報表示処理のフローチャートである。
【図２２】第２実施形態における駐車場情報管理テーブルの例を示す図である。
【図２３】第３駐車状況マーク表示処理のフローチャートである。
【図２４】第４駐車状況マーク表示処理のフローチャートである。
【図２５】第２実施形態における駐車場情報詳細表示処理のフローチャートを示す。
【図２６】ステップＳ１４５において表示される地図画面の例を示す図である。
【図２７】ステップＳ１４６において表示される地図画面の例を示す図である。
【符号の説明】
【０１６７】
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  ＶＩＣＳモジュール
３  ＤＳＲＣ部
３ａ  ＤＳＲＣ制御部
３ｂ  ＤＳＲＣ通信部
３ｃ  記憶部
３ｃ１  アップリンク情報記憶領域
３ｄ  ＥＴＣ処理部
３ｅ  ＩＣカードＩ／Ｆ部
４  制御部
５  ＩＰ通信部
１０  車載器
２０Ａ、２０Ｂ  路側無線装置
２０Ｃ  無線通信アクセスポイント
２１  本体装置
２２  アンテナ
３０  センター装置
３１  制御部
３２  入力部
３３  表示部
３４  記憶部
３５  通信部
４０  無線通信デバイス
１００  配信システム
Ａ１〜Ａ５、Ａ１ａ、Ａ１ｂ  駐車状況マーク
Ｃ  車両
Ｇ１、Ｇ２、Ｇ３、Ｇ４  地図画面
Ｌ１  リスト
Ｎ１、Ｎ２、Ｎ３  ネットワーク
Ｐ１  空車マーク
Ｐ２  混雑マーク
Ｐ３  満車マーク
Ｚ  相互通信エリア
【図１】
2010002347.tif 000003
【図２】
2010002347.tif 000004
【図３】
2010002347.tif 000005
【図４】
2010002347.tif 000006
【図５】
2010002347.tif 000007
【図６】
2010002347.tif 000008
【図７】
2010002347.tif 000009
【図８】
2010002347.tif 000010
【図９】
2010002347.tif 000011
【図１０】
2010002347.tif 000012
【図１１】
2010002347.tif 000013
【図１２】
2010002347.tif 000014
【図１３】
2010002347.tif 000015
【図１４】
2010002347.tif 000016
【図１５】
2010002347.tif 000017
【図１６】
2010002347.tif 000018
【図１７】
2010002347.tif 000019
【図１８】
2010002347.tif 000020
【図１９】
2010002347.tif 000021
【図２０】
2010002347.tif 000022
【図２１】
2010002347.tif 000023
【図２２】
2010002347.tif 000024
【図２３】
2010002347.tif 000025
【図２４】
2010002347.tif 000026
【図２５】
2010002347.tif 000027
【図２６】
2010002347.tif 000028
【図２７】
2010002347.tif 000029